(57)【要約】      （修正有）【課題】軟性尿管鏡の導入装置及びその使用方法並びに腎盂尿管鏡システムを提供する。【解決手段】軟性尿管鏡１０の導入装置は、導入シースユニット２０を備え、導入シースユニット２０は弾性を有する導入シースを含み、導入シースは軟性尿管鏡に合わせた長尺状管体であり、軟性尿管鏡１０は導入シース内に挿着される場合、軟性尿管鏡１０の外端部は導入シースの外端部と面一であるか又は導入シースの外端部から僅かに突出している。軟性尿管鏡１０を正確に腎盂内に挿入し、ワンステップだけで完了することができ、使用しやすく、患者の損傷を減少させ、手術コストを低減させることができる。【選択図】図２
2020182840.tif 000002
【特許請求の範囲】
【請求項１】
軟性尿管鏡の導入装置であって、前記導入装置は、導入シースユニット（２０）を備え、前記導入シースユニット（２０）は、弾性を有する導入シース（２００）を含み、前記導入シース（２００）は、前記軟性尿管鏡に合わせた長尺状管体であり、前記軟性尿管鏡は、前記導入シース（２００）内に挿着される場合、前記軟性尿管鏡の外端部は、前記導入シース（２００）の外端部と面一であるか又は前記導入シース（２００）の外端部から僅かに突出している、前記導入装置。
【請求項２】
前記導入シースユニット（２０）は、前記導入シース（２００）に接続されるガイドシース本体（２１０）を更に含み、前記軟性尿管鏡は、前記ガイドシース本体（２１０）を貫通して前記導入シース（２００）に挿入することができ、前記導入シースユニット（２０）は、前記軟性尿管鏡を固定するための固定ホルダ（２２０）を更に含み、前記固定ホルダ（２２０）は、前記ガイドシース本体（２１０）における前記導入シース（２００）から離れる一端に接続され、前記軟性尿管鏡の内端部は、前記固定ホルダ（２２０）に取り外し可能に固定されることを特徴とする
請求項１に記載の軟性尿管鏡の導入装置。
【請求項３】
前記ガイドシース本体（２１０）における前記導入シース（２００）に近接する一端にガイドシース通路（２１１）が設けられ、前記ガイドシース本体（２１０）の他端に、前記軟性鏡が貫通する凹溝（２１２）が設けられ、前記凹溝（２１２）は、前記ガイドシース通路（２１１）と連通し、前記ガイドシース通路（２１１）は、前記導入シース（２００）と連通することを特徴とする
請求項２に記載の軟性尿管鏡の導入装置。
【請求項４】
前記ガイドシース本体（２１０）に排水通路（２１４）が更に設けられ、前記排水通路（２１４）は、前記ガイドシース通路（２１１）と連通することを特徴とする
請求項３に記載の軟性尿管鏡の導入装置。
【請求項５】
腎盂尿管鏡システムであって、前記腎盂尿管鏡システムは、軟性尿管鏡（１０）と請求項１に記載の導入装置とを備え、前記軟性尿管鏡（１０）は、前記導入シース（２００）内に挿着され、前記軟性尿管鏡（１０）の外端部は、前記導入シース（２００）の外端部と面一であるか又は前記導入シース（２００）の外端部から僅かに突出している、前記腎盂尿管鏡システム。
【請求項６】
前記軟性尿管鏡（１０）は、軟性鏡本体（１００）と、軟性鏡ハンドル（１１０）とを備え、前記軟性鏡本体（１００）の内端部は、前記軟性鏡ハンドル（１１０）に固定接続され、前記軟性鏡本体（１００）は、ホース（１０２）と、屈曲部材（１２０）を介して前記ホース（１０２）の外端部に接続されるレンズユニットとを含むことを特徴とする
請求項５に記載の腎盂尿管鏡システム。
【請求項７】
前記屈曲部材（１２０）とレンズユニットの外径寸法は、いずれも前記ホース（１０２）の外径寸法よりも大きく、前記ホース（１０２）の外径寸法は、前記導入シース（２００）の内径寸法及び前記ガイドシース通路（２１１）の径方向寸法よりも小さく、前記ホース（１０２）と前記導入シース（２００）との間、前記ホース（１０２）と前記ガイドシース通路（２１１）の内壁との間にいずれも通水隙間が形成されることを特徴とする
請求項６に記載の腎盂尿管鏡システム。
【請求項８】
前記導入シースユニット（２０）が前記固定ホルダ（２２０）を含む場合、前記軟性鏡ハンドル（１１０）は、前記固定ホルダ（２２０）に取り外し可能に設けられ、前記軟性鏡本体（１００）は、前記導入シース（２００）内に設けられ、前記レンズユニットの外端部は、前記導入シース（２００）の外端部と面一であるか又は前記導入シース（２００）の外端部から僅かに突出していることを特徴とする
請求項６に記載の腎盂尿管鏡システム。
【請求項９】
前記レンズユニットは、レンズホルダ（１３０）を含み、前記軟性尿管鏡（１０）内に、作業通路（１０１）が設けられ、前記作業通路（１０１）は、前記軟性鏡ハンドル（１１０）から順に前記ホース（１０２）及び屈曲部材（１２０）を貫通し、前記レンズホルダ（１３０）内に入り込み、前記レンズホルダ（１３０）に、前記作業通路（１０１）と連通するための貫通孔（１３１）が設けられ、前記レンズユニットは、前記レンズホルダ（１３０）内に設けられる撮像通路（１３２）及び照明通路（１３３）を更に含み、前記撮像通路（１３２）内に、カメラ装置が設けられ、前記照明通路（１３３）内に、照明通路が設けられ、前記屈曲部材（１２０）は、スネークボーンユニットと、前記スネークボーンユニットの端部を固定するための固定ラック（１２１）とを含み、前記スネークボーンユニットの一端部は、前記固定ラック（１２１）を介して前記ホース（１０２）に接続され、前記スネークボーンユニットのもう１つの端部は、前記レンズホルダ（１３０）に接続されることを特徴とする
請求項８に記載の腎盂尿管鏡システム。
【請求項１０】
請求項１に記載の導入装置の使用方法であって、
潅流液を流し始めるステップ１）と、
前記軟性尿管鏡（１０）を搭載している導入シースユニット（２０）の導入シース（２００）をヒトの尿道口から尿道に挿入するステップ２）と、
軟性尿管鏡（２００）を搭載している導入シース（１０）を、尿道を経由して順に尿管及び腎盂口に進入させ、続いて前記導入シース（２００）の推し進めを中止し、前記軟性尿管鏡（１０）を、腎盂内に進入するまで、推し進めて続けるステップ３）とを含む、前記方法。
【発明の詳細な説明】
【技術分野】
【０００１】
本発明は、医療器具技術分野に関し、具体的には、使い捨て軟性尿管鏡の導入装置及びその使用方法並びに腎盂尿管鏡システムに関する。
【背景技術】
【０００２】
近年来、腎盂尿管鏡は、腎結石のような腎疾患の診断や治療のための通常の補助器具となっていた。それは、従来から、尿管を目視検査しにくく、尿管疾患について切開手術で治療しなければならないという状況を変える。現在、別体の軟性尿管鏡及び硬性尿管鏡が市販されている。硬性尿管鏡は、操作しやすく、尿管を通して腎盂に到達しやすいが、硬性尿管鏡の先端が屈曲不可能であるため、腎盂に入ってから方向を調節して各組の腎杯に入って様々な診断及び治療を行うことができない。軟性尿管鏡は、先端が単一方向や複数の方向に大角度で屈曲、転向することができるが、尿管を通して腎盂及び腎杯に入ることが困難である。ｘ線による案内で腎盂及び腎杯に入ることができるが、ｘ線の医者及び患者への損傷が大きい。
【０００３】
従来技術において、腎盂尿管鏡は、ヒトの尿道から体内に入り、軟性鏡を所定の位置に配置するために、複数回操作を繰り返しなければならない。第１ステップにおいて、レンズを有する硬性尿管鏡をヒトの尿道から挿入して所定の位置を見付ける。該位置は、一般的には、病巣が所在する位置又は病巣に近接する位置であり、例えば、尿管内に到達する。第２ステップにおいて、硬性尿管鏡の作業通路を通してゼブラガイドワイヤを腎盂位置（レンズによって見つけることができる）に送入する。第３ステップにおいて、硬性尿管鏡を引き出し、硬性尿管鏡が完全に引き出されるまで、ゼブラガイドワイヤを腎盂位置に保留し続ける。第４ステップにおいて、細かい円頭部を有する導入シースユニットをゼブラガイドワイヤに沿って腎盂位置に押し進める（この場合、監視用レンズがないため、ブラインド挿入を行う）。第５ステップにおいて、導入シースユニット内部の案内シースを抜き出すと同時に、ゼブラガイドワイヤを抜き出し、導入シースを体内に保留する。第６ステップにおいて、軟性尿管鏡を導入シースに沿って腎盂部に挿入する。このような方法は、医者の操作工程を大幅に増加させ、患者の臓器の損傷程度を大幅に向上させ、操作しにくく、作業効率が低く、手術コストが高く、使用上の効果が高くない。
【発明の概要】
【発明が解決しようとする課題】
【０００４】
従来技術の欠点を解消するために、本発明は、手術の操作工程を減少させて作業効率を向上させることができる軟性尿管鏡の導入装置を提供することを目的とする。
【課題を解決するための手段】
【０００５】
本発明が用いる技術的解決手段は以下のとおりである。
【０００６】
軟性尿管鏡の導入装置であって、前記導入装置は、導入シースユニットを備え、前記導入シースユニットは、弾性を有する導入シースを含み、前記導入シースは、前記軟性尿管鏡に合わせた長尺状管体であり、前記軟性尿管鏡は、前記導入シース内に挿着される場合、前記軟性尿管鏡の外端部は、前記導入シースの外端部と面一であるか又は前記導入シースの外端部から僅かに突出している。
【０００７】
本導入装置において、軟性尿管鏡は、硬性尿管鏡の機能を有し、軟性尿管鏡を搭載している導入シースは、尿道を経由して順に尿管に入って腎盂口に到達し、続いて、導入シースの推し進めが中止され、軟性尿管鏡は、腎盂内に到達するまで、推し進められて続ける。
【０００８】
好ましくは、前記導入シースの外径は、２−８ｍｍである。
【０００９】
好ましくは、前記導入シースユニットは、前記導入シースユニットに接続されるガイドシース本体を更に含み、前記軟性尿管鏡は、前記ガイドシース本体を貫通して前記導入シースに挿入されることが可能であり、前記軟性尿管鏡の外端部は、前記導入シースの外端部と面一であるか又は前記導入シースの外端部から僅かに突出しており、前記導入シースユニットは、前記軟性尿管鏡を固定するための固定ホルダを更に含み、前記固定ホルダは前記ガイドシースの他端に接続され、前記軟性尿管鏡の内端部は、前記固定ホルダに取り外し可能に設けられる。
【００１０】
好ましくは、前記ガイドシース本体における前記導入シースに近接する一端にガイドシース通路が設けられ、前記ガイドシース本体の他端に、前記軟性鏡が貫通する凹溝が設けられ、前記凹溝は、前記ガイドシース通路と連通し、前記ガイドシース通路は、前記導入シースと連通する。
【００１１】
好ましくは、前記ガイドシース本体に排水通路が更に設けられ、前記排水通路は、前記ガイドシース通路と連通する。
【００１２】
好ましくは、前記ガイドシース通路における前記凹溝に近接する箇所に、前記軟性鏡及び前記ガイドシース通路を封止するためのガイドシース封止部材が設けられ、前記ガイドシース封止部材は、前記ガイドシース通路と締まりばめされる。
【００１３】
好ましくは、前記ガイドシース本体の端部に固定リブが設けられ、前記固定ホルダの対応する端部に、前記固定リブに合わせた固定バックルが設けられ、前記固定ホルダは、固定リブと固定バックスとの係合によって、前記ガイドシース本体に取り外し可能に接続される。
【００１４】
好ましくは、前記ガイドシース本体の側面に、ガイドシースハンドルが設けられる。
【００１５】
本発明の別の目的は、上記導入装置の使用方法を提供することにある。
【００１６】
該方法は
潅流液を流し始めるステップ１）と、
前記軟性尿管鏡を搭載している導入シースユニットの導入シースをヒトの尿道口から尿道に挿入するステップ２）と、
軟性尿管鏡を搭載している導入シースを、尿道を経由して順に尿管及び腎盂口に進入させ、続いて前記導入シースの推し進めを中止し、前記軟性尿管鏡を、腎盂内に到達するまで、推し進めて続けるステップ３）とを含む。
【００１７】
本発明の別の目的は、腎盂尿管鏡システムを提供することにある。
【００１８】
本腎盂尿管鏡システムは、軟性尿管鏡と上記導入装置とを備え、前記軟性尿管鏡は、前記導入シース内に挿着され、前記軟性尿管鏡の外端部は、前記導入シースの外端部と面一であるか又は前記導入シースの外端部から僅かに突出している。
【００１９】
本腎盂尿管鏡システムにおいて、前記導入シースは、前記軟性尿管鏡を搭載して、尿道を経由して順に尿管に入って腎盂口に到達し、続いて、前記導入シースの推し進めが中止され、前記軟性尿管鏡は、腎盂内に到達するまで、推し進められて続ける。
【００２０】
好ましくは、前記軟性尿管鏡は、軟性鏡本体と、軟性鏡ハンドルとを備え、前記軟性鏡本体は、ホースと、屈曲部材を介して前記ホースの外端部に接続されるレンズユニットとを含み、前記ホースの内端部は、前記軟性鏡ハンドルに固定接続され、前記レンズユニットは、前記軟性尿管鏡の外端部に位置する。
【００２１】
好ましくは、前記導入シースの内径寸法は、均一であり、前記屈曲部材とレンズユニットの外径寸法は、いずれも前記ホースの外径寸法よりも大きく、前記ホースの外径寸法は、前記導入シースの内径寸法及び前記ガイドシース通路の径方向寸法よりも小さく、前記ホースと前記導入シースとの間、前記ホースと前記ガイドシース通路の内壁との間にいずれも通水隙間が形成され、腎盂内の液体と手術残渣は、前記通水隙間及び前記排水通路を経由して排出される。好ましくは、前記屈曲部材及びレンズユニットの外径寸法は、２．５−４．５ｍｍであり、前記ホースの外径寸法は、１．５−４．０ｍｍである。
【００２２】
好ましくは、前記導入シースユニットが前記固定ホルダを含む場合、前記軟性鏡ハンドルは、前記固定ホルダに取り外し可能に設けられ、前記軟性鏡本体は、前記導入シース内に設けられ、前記レンズユニットの外端部は、前記導入シースの外端部と面一であるか又は前記導入シースの外端部から僅かに突出している。
【００２３】
好ましくは、前記レンズユニットは、レンズホルダを含み、前記軟性尿管鏡内に、作業通路が設けられ、前記作業通路は、前記軟性鏡ハンドルから順に前記ホース及び屈曲部材を貫通し、前記レンズホルダ内に入り込み、前記レンズホルダに、前記作業通路と連通するための貫通孔が設けられ、貫通孔は、潅流液を送り込むためのものであり、前記レンズユニットは、前記レンズホルダ内に設けられる撮像通路及び照明通路を更に含み、前記撮像通路内に、カメラ装置が設けられ、前記照明通路内に、照明通路が設けられ、前記屈曲部材は、スネークボーンユニットと、前記スネークボーンユニットの端部を固定するための固定ラックとを含み、前記スネークボーンユニットの一端部は、前記固定ラックを介して前記ホースに接続され、前記スネークボーンユニットのもう１つの端部は、前記レンズホルダに接続される。
【発明の効果】
【００２４】
従来技術に比べて、本発明の有益な効果は以下のとおりである。
【００２５】
本発明は、腎盂尿管鏡システムを提供し、軟性尿管鏡を硬性導入シースユニットに固定することで、軟性尿管鏡に硬性尿管鏡の硬度及び機能を持たせ、軟性尿管鏡を迅速に腎盂位置に到達させると共に、軟性尿管鏡の先端のカメラ等のレンズユニットを利用してリアルタイムで観察し、挿入プロセスを内視方式で行い、操作の正確性及び信頼性を更に確保することができる。前記軟性尿管鏡を搭載している硬性導入シースユニットが、腎盂口に入ってから、軟性尿管鏡の先端の制御可能な屈曲という特徴を利用して、軟性尿管鏡は、構造が複雑である腎盂内に入って検査及び治療を行い、全過程において、医者は１つのステップのみの操作を行い、手術器具の変更を必要とせず、手術が簡単で迅速であり、作業効率が高く、使用される装置が少なく、消毒工程が少なく、損失が少なく、手術コストが大幅に低下し、手術時間が減少され、患者の体への損傷及び交互汚染の発生確率が大幅に低下する。
【図面の簡単な説明】
【００２６】
【図１】本腎盂尿管鏡システムの構成を示す概略図である。
【図２】本腎盂尿管鏡システムを示す断面図である。
【図３】軟性尿管鏡の構成を示す概略図である。
【図４】レンズホルダと軟性鏡本体との接続構成を示す概略図である。
【図５】図４のＡ部を示す拡大図である。
【図６】レンズホルダの構成を示す概略図である。
【図７】ホースとホース封止部材との接続構成を示す概略図である。
【図８】屈曲部材とレンズホルダとの接続構成を示す概略図である。
【図９】給水継手の構成を示す概略図である。
【図１０】作業通路と給水継手との接続構成を示す概略図である。
【図１１】導入シースユニットを示す分解図である。
【図１２】導入シースユニットを示す断面図である。
【図１３】ガイドシース本体の構成を示す概略図である。
【発明を実施するための形態】
【００２７】
以下、図面及び発明を実施するための形態を参照しながら本発明を更に詳しく説明する。
【００２８】
図１及び図２を参照すると、本実施例が提供する使い捨て軟性腎盂尿管鏡システムは、軟性尿管鏡１と、導入ユニットとした導入シースユニット２０とを備え、軟性尿管鏡１０は、導入シースユニット２０に搭載されて固定されて腎盂組織に入る。
【００２９】
具体的には、図３に示すように、軟性尿管鏡１０は、軟性鏡本体１００と、軟性鏡本体１００に接続される軟性鏡ハンドル１１０とを含み、軟性鏡本体１００は、順に接続されるホース１０２、屈曲部材１２０及びレンズホルダ１３０を含む。
【００３０】
図４及び図５に示すように、軟性尿管鏡１０の構成は以下のとおりである。軟性鏡本体１００内に作業通路１０１が設けられ、軟性鏡本体１００の一端（即ち、ホース１０２の一端）は、軟性鏡ハンドル１１０を貫通して軟性鏡ハンドル１１０に固定接続され、作業通路１０１は、軟性鏡ハンドル１１０の自由端からホース１０２に挿入され、ホース１０２内を貫通してから、更に屈曲部材１２０を貫通してレンズホルダ１３０の内部に入る。
【００３１】
図６に示すように、レンズホルダ１３０の内部に、作業通路１０１と連通するための貫通孔１３１が設けられ、潅流液を送り込むために、貫通孔１３１が設けられる。レンズホルダ１３０における、貫通孔１３１に対応する下方の位置に、撮像通路１３２が設けられ、撮像通路１３２内に、手術過程をリアルタイムでモニタリングするためのカメラ装置が設けられる。レンズホルダ１３０における、貫通孔１３１に対応する片側の位置に、照明通路１３３が設けられ、照明通路１３３内に、ガイドビームによって照明するための照明装置が設けられ、照明通路１３３に対向する他方側に、屈曲部材１２０の転向ワイヤを取り付けるための２つのブラインドビア１３４が設けられる。レンズホルダ１３０、カメラ装置及び照明装置は、レンズユニットを構成する。レンズユニットの外径寸法は、レンズホルダ１３０の外径寸法である。
【００３２】
図１１及び図１２に示すように、尿管導入シースユニット２０は、主に、順に接続される導入シース２００と、ガイドシース本体２１０と、軟性尿管鏡１０を固定するための固定ホルダ２２０とを含む。導入シース２００は、長尺状管体であり、その構造は、真っ直ぐに張った軟性鏡本体１００の構造に適合し、導入シース２００の材質は、金属又はプラスチックであり、剛性が高く、また一定の弾性を有し、外力で弾性変形が可能である。導入シース２００の一端は、ガイドシース本体２１０内に固定される。軟性尿管鏡１０と硬性尿管導入シースユニット２０を組み合わせて使用する場合、軟性鏡本体１００は、ガイドシース本体２１０を経由して導入シース２００内に挿入され、且つ軟性鏡本体１００の先端は、導入シース２００の先端と面一であるか又はほぼ面一である。軟性鏡ハンドル１１０は、取り外し可能に固定ホルダ２２０に設けられる。ここで、ほぼ面一であることとは、軟性鏡本体１００の先端が導入シース２００の先端から０−３ｍｍ突出してもよく、肉眼で観察すれば、面一であり、尿道や尿管の内壁の損傷を避けるために、導入シース２００の先端が、軟性鏡本体１００の先端から突出していないことを指す。
【００３３】
具体的には、図１３に示すように、ガイドシース本体２１０における導入シース２００に近接する一端にガイドシース通路２１１が設けられ、ガイドシース本体２１０の他端に、軟性鏡本体１００が貫通する凹溝２１２が設けられ、該凹溝２１２は、ガイドシース通路２１１と連通する。導入シース２００の端部は、ガイドシース通路２１１内に封止方式で挿着され、ガイドシース通路２１１における導入シース２００から離れる一端の内径は、凹溝２１２に近接する方向へ次第に増大する。ガイドシース通路２１１における凹溝２１２に近接する位置に、ガイドシース封止部材２１３が設けられ、該ガイドシース封止部材２１３は、軟性鏡本体１００及びガイドシース通路２１１を封止するためのものであり、ガイドシース封止部材２１３は、ガイドシース通路２１１と締まりばめされ、潅流液の漏れを効果的に防止することができる。ガイドシース本体２１０におけるガイドシース通路２１１の上方に対応する位置にガイドシースハンドル２１５が設けられ、該ガイドシースハンドルは、医者によって簡単に把持され、従来の使用習慣を変える必要もない。ガイドシース本体２１０における凹溝２１２に近接する端部に固定リブ２１６が設けられる。これに対応して、固定ホルダ２２０の端部に、固定リブ２１６に合わせた固定バックル２２１が設けられ、固定ホルダ２２０は、固定リブ２１６と固定バックル２２１との係合によって、ガイドシース本体２１０に取り外し可能に接続される。固定ホルダ２２０に軟性鏡バックル２２２が設けられ、軟性鏡ハンドル１１０は、軟性鏡バックル２２２に係着され、軟性尿管鏡１０を好適に固定して位置決めする。また、図１及び図２を参照すると、軟性鏡本体１００を、凹溝２１２及びガイドシース通路２１１を介して導入シース２００内に挿入し、軟性鏡本体１００の先端と導入シース２００の先端を面一にし、軟性鏡ハンドル１１０を固定ホルダ２００の軟性鏡バックル２２２に係着することで、軟性尿管鏡１０を硬性導入シースユニット２０に固定する。
【００３４】
前記ホース１０２は、好ましくは、金属硬性管を弾性体に切断することで製造されたものであり、即ち、金属硬性管の外表面でその軸方向に沿ってらせん状にノッチングしてから軟性金属管を形成し、ホース１０２が一定の構造強度を確保すると同時に、優れた柔軟性を持たせ、軟性鏡本体１００が連続的に屈曲することができるようにする。軟性鏡本体１００は、ホース封止部材１０３を更に含む。該ホース封止部材１０３は、ホース１０２の外表面に設けられ、ホース１０２を封止して保護する。ホース１０２とホース封止部材１０３とは、接着剤による接着で密封して固定してもよいし、熱収縮管をホース封止部材１０３として使用してもよい。熱収縮の方式でホース封止部材１０３をホース１０２の外表面に固定し、ホースを封止して固定し、ホース１０２の腐食を効果的に防止することができる。
【００３５】
前記屈曲部材１２０は、少なくとも１つの揺動自由度を有し、転向ワイヤによってその屈曲方向を調整するようにし、作業通路１０１の入口を正確に腎盂位置に到達させる。従って、屈曲部材１２０が屈曲自在になることが求められる。本実施例において、屈曲部材１２０は、スネークボーンユニットと、スネークボーンユニットの端部を固定するための固定ラック１２１とを含み、具体的な接続関係は以下のとおりである。
【００３６】
図８に示すように、スネークボーンユニットの一端部は、固定ラック１２１を介してホース１０２に接続され、スネークボーンユニットの別の端部は、レンズホルダ１３０に接続され、これによりレンズホルダ１３０と作業通路１０１の転向機能を実現させる。
【００３７】
図３、９及び図１０に示すように、本実施例において、作業通路１０１は、給水継手１７０を介して軟性鏡ハンドル１１０内に固定される。給水継手１７０は、接続チャンバ１７１を有する継手本体を含み、継手本体内に、作業通路１０１と接続するための接続通路１７２が設けられ、該接続通路１７２は、接続チャンバ１７１と連通する。継手本体における接続通路１７２に近接する一端に、支持板１７３が設けられ、該支持板１７３に、作業通路１０１を支持するための凹溝がもうけられる。継手本体の外周面に少なくとも１つの係止溝１７４が設けられ、給水継手１７０は、該係止溝１７４を介して軟性鏡ハンドル１１０に係着される。
【００３８】
好ましい実施形態において、図１３に示すように、前記ガイドシース本体２１に、排水通路２１４が更に設けられる。前記排水通路２１４は、前記ガイドシース通路２１１と連通し、前記導入シース２００の内径寸法は、均一である。前記屈曲部材１２０及び前記レンズユニットの外径寸法は、いずれも前記ホース１０２の外径寸法よりも大きく、屈曲部材１２０及びレンズユニットの外径寸法を、導入シース２００の内径寸法と適合させる。前記ホース１０２の外径寸法は、前記導入シース２００の内径寸法及びガイドシース通路２１１の径方向寸法よりも小さく、ホース１０２と前記導入シース２００との間、ホース１０２とガイドシース通路２１１の内壁との間にいずれも通水隙間が形成され、腎盂内の液体と手術残渣は、前記通水隙間及び前記排水通路２１４を経由して排出される。具体的には、前記屈曲部材１２０及びレンズホルダ１３０の外径寸法は、２．５−４．５ｍｍであり、前記ホース１０２の外径寸法は、１．５−４．０ｍｍであり、屈曲部材１２０及びレンズユニットの長さは、３５−１００ｍｍの範囲内にあり、ホース１０２の長さは、５５０−６５０ｍｍの間にある。該設計の目的は以下のとおりである。屈曲部材１２０及びレンズユニットの外径寸法は、導入シース２００の内径寸法に適合し、軟性尿管鏡の先端と導入シースの先端との径方向の隙間を小さくし、明らかな段差を形成することなく、ヒトの尿道から挿入する場合に、患者の苦痛を増加させることを避け、また、ヒトの尿道から挿入する過程において、軟性尿管鏡の先端と導入シースの先端との相対的な安定性を確保することができる。一方で、シースユニットの推し進めが中止される場合、軟性尿管鏡は、レンズユニット及び屈曲部材１２０が腎盂内に進入して砕石術を行うまで、推し進められて続ける。ホース１０２の径方向寸法が小さいため、ホース１０２と導入シース２００やガイドシース通路２１１との隙間が大きく、腎盂内に注入される液体や破砕された結石を排水通路２１４から排出しやすくし、給水通路と対向流を形成し、水流量を調整することもでき、チャンバ内の対象物を対向流によって洗浄して砕石を排出するだけでなく、チャンバ内の圧力が大きすぎて、液体の逆流による尿性敗血症が発生して、ひいては患者の生命を脅かすという状況を避けることができる。屈曲部材１２０の外部にゴム層が更に嵌設される場合、ゴム層の外径寸法は、前記ホース１０２の外径寸法より大きい。軟性尿管鏡１０と導入シースユニット２０を固定した後、本導入装置の使用方法は具体的には下記ステップを含む。
【００３９】
１）潅流液を流し始め、カメラ装置及び照明装置を起動し、軟性尿管鏡１０に接続される表示ディスプレイに、レンズホルダ１３０の先端のリアルタイム画像をリアルタイムで表示する。
【００４０】
２）導入シースユニット２０の導入シース２００を、ヒトの尿道口から尿道に挿入し、軟性鏡本体１００を、導入シース２００と共に人体内に配置する。医者は、手でガイドシースハンド２１５を手で握って導入シース２００及び軟性鏡本体１００を患者の体内に挿入し、挿入過程において、表示ディスプレイによって、挿入過程全体を観察し、挿入方向及び速度を適時に調整する。
【００４１】
３）膀胱を通過して、尿管の下端の入口を見つけてから、引き続き尿管内に一定の距離通過して腎盂口に到達した後、導入シースユニット２０の推し進めを中止し、仮固定を行い、固定ホルダ２２０における軟性鏡ハンドル１１０を取り外し、軟性鏡本体１００を導入シース２００に沿って前へ推し進めて続け、腎盂に入ると、検査や手術を行うことができる。
【００４２】
これから分かるように、本発明は、軟性尿管鏡１０を導入シースユニット２０に固定することで、軟性尿管鏡１０を導入シースユニット２０に搭載する。従来の腎盂鏡に比べて、１つのステップのみの操作によって腎盂位置に正確に到達することができる。作業効率が大幅に向上し、ゼブラガイドワイヤ等の装置を必要とせず、使用される装置が少なく、手術のコストが効果的に低下し、手術時間を節約し、患者の損傷を減少させる。また、カメラ装置及び照明装置が常にレンズホルダ１３０の先端に設けられるため、挿入過程及び手術過程全体を視認可能にする。
【００４３】
本発明に用いられる軟性のものと硬性のものを組み合わせた腎盂尿管鏡システムの原理及び構造は、膀胱鏡、大腸内視鏡又は子宮鏡などのような他の内視鏡に適用可能であり、適用範囲が広い。
【００４４】
上記実施形態は本発明の好適な実施形態に過ぎず、本発明の保護範囲を限定するためのものではない。当業者により本発明に基づいて行われる如何なる実質的でない変更及び置換はいずれも請求された本発明の範囲内に含まれる。
【図１】
2020182840.tif 000003
【図２】
2020182840.tif 000004
【図３】
2020182840.tif 000005
【図４】
2020182840.tif 000006
【図５】
2020182840.tif 000007
【図６】
2020182840.tif 000008
【図７】
2020182840.tif 000009
【図８】
2020182840.tif 000010
【図９】
2020182840.tif 000011
【図１０】
2020182840.tif 000012
【図１１】
2020182840.tif 000013
【図１２】
2020182840.tif 000014
【図１３】
2020182840.tif 000015